(57)【要約】【課題】受信したモールス信号から送信局を容易に判別する。【解決手段】無線受信機（１）は、モールス信号を受信する。無線受信機（１）は、受信したモールス信号の周波数を検出するＣＷデコード部（６２）、検出された周波数が無線受信機（１）に受信されたモールス信号を送信した既知の送信局である既知局の送信周波数と一致するか否かを判定することにより、受信中のモールス信号を送信している送信局を判別する局判別部（６４）と、送信局を判別した結果を報知する文字列表示処理部（７１）とを備える。【選択図】図１
2020167599.tif 000002
【特許請求の範囲】
【請求項１】
モールス信号を受信する無線受信機であって、
受信したモールス信号の周波数を検出する周波数検出部と、
検出された周波数が前記無線受信機に受信されたモールス信号を送信した既知の送信局である既知局の送信周波数と一致するか否かを判定することにより、受信中のモールス信号を送信している送信局を判別する局判別部と、
送信局を判別した結果を報知する報知部と、
を備えている無線受信機。
【請求項２】
新規の送信局と当該送信局の送信周波数とを対応付けて記憶部に登録する第１登録部をさらに備え、
前記局判別部は、検出された周波数が、登録された少なくとも１つの前記既知局にそれぞれ対応付けられた送信周波数と一致するか否かを判定することにより、受信中のモールス信号を送信している送信局を判別し、
前記第１登録部は、検出された周波数が少なくとも１つの前記既知局の送信周波数と一致しなかったときに、当該送信局を当該送信周波数と対応付けて前記記憶部に登録する請求項１に記載の無線受信機。
【請求項３】
受信したモールス信号からキーイングスピードを検出するキーイングスピード検出部をさらに備え、
前記局判別部は、検出された周波数が前記既知局の送信周波数であると判定したときに、さらに、検出されたキーイングスピードが前記既知局によって送信されたモールス信号から検出されたキーイングスピードであるか否かを判定することにより、受信中のモールス信号を送信している送信局を判別する請求項１または２に記載の無線受信機。
【請求項４】
新規の送信局と当該送信局のキーイングスピードとを対応付けて記憶部に登録する第２登録部をさらに備え、
前記局判別部は、検出されたキーイングスピードが、登録された少なくとも１つの前記既知局にそれぞれ対応付けられたキーイングスピードと一致するか否かを判定することにより、受信中のモールス信号を送信している送信局を判別し、
前記第２登録部は、検出されたキーイングスピードが少なくとも１つの前記既知局のキーイングスピードと一致しなかったときに、当該送信局を当該キーイングスピードと対応付けて前記記憶部に登録する請求項３に記載の無線受信機。
【請求項５】
受信したモールス信号を文字コードデータに変換する変換部と、
変換された前記文字コードデータに基づいて、文字列を表示する文字列表示部と、
をさらに備え、
前記報知部は、判別された送信局に応じて文字列の表示形態を異ならせる請求項１から４のいずれか１項に記載の無線受信機。
【請求項６】
前記表示形態は表示色である請求項５に記載の無線受信機。
【請求項７】
前記表示形態はフォントである請求項５に記載の無線受信機。
【請求項８】
前記表示形態は改行である請求項５に記載の無線受信機。
【請求項９】
コンピュータを、請求項１から８のいずれか１項に記載の無線受信機における前記周波数検出部、前記局判別部および前記報知部として機能させるための送信局判別プログラム。
【請求項１０】
無線受信機が受信したモールス信号の周波数を検出する周波数検出ステップと、
検出された周波数が前記無線受信機に受信されたモールス信号を送信した既知の送信局である既知局の送信周波数と一致するか否かを判定することにより、受信中のモールス信号を送信している送信局を判別する局判別ステップと、
送信局を判別した結果を報知する報知ステップと、
を含んでいる送信局判別方法。
【発明の詳細な説明】
【技術分野】
【０００１】
本発明は、モールス信号を受信する無線受信機に関する。
【背景技術】
【０００２】
例えば、特許文献１には、無変調連続波（ＣＷ：Continuous Wave）を受信する受信機で受信したモールス信号を解読して文字に変換し、変換した文字を表示することが開示されている。
【先行技術文献】
【特許文献】
【０００３】
【特許文献１】特開昭５６−６９９５６号公報（１９８１年６月１１日公開）
【発明の概要】
【発明が解決しようとする課題】
【０００４】
上記のようなモールス信号を文字に変換して表示する無線通信機では、いくつかの送信局と交信する場合、表示された文字列が送信局の区別なく羅列されているので、一部の文字列を見ただけでは、モールス信号を送信した送信局を判別することができない。このため、ユーザは、文字列の内容から、それぞれの送信局を推定していた。
【０００５】
本発明の一態様は、受信したモールス信号から送信局を容易に判別することを目的とする。
【課題を解決するための手段】
【０００６】
上記の課題を解決するために、本発明の一態様に係る無線受信機は、モールス信号を受信する無線受信機であって、受信したモールス信号の周波数を検出する周波数検出部と、検出された周波数が前記無線受信機に受信されたモールス信号を送信した既知の送信局である既知局の送信周波数と一致するか否かを判定することにより、受信中のモールス信号を送信している送信局を判別する局判別部と、送信局を判別した結果を報知する報知部とを備えている。
【０００７】
上記の課題を解決するために、本発明の一態様に係る送信局判別方法は、無線受信機が受信したモールス信号の周波数を検出する周波数検出ステップと、検出された周波数が前記無線受信機に受信されたモールス信号を送信した既知の送信局である既知局の送信周波数と一致するか否かを判定することにより、受信中のモールス信号を送信している送信局を判別する局判別ステップと、送信局を判別した結果を報知する報知ステップとを含んでいる。
【０００８】
上記の構成によれば、現在受信しているモールス信号から検出された周波数に基づいて容易に送信局を判別することができる。
【０００９】
前記無線受信機は、新規の送信局と当該送信局の送信周波数とを対応付けて記憶部に登録する第１登録部をさらに備え、前記局判別部は、検出された周波数が、登録された少なくとも１つの前記既知局にそれぞれ対応付けられた送信周波数と一致するか否かを判定することにより、受信中のモールス信号を送信している送信局を判別し、前記第２登録部は、検出された周波数が少なくとも１つの前記既知局の送信周波数と一致しなかったときに、当該送信局を当該送信周波数と対応付けて前記記憶部に登録してもよい。
【００１０】
上記の構成によれば、検出された周波数に基づいて少なくとも１つの送信局を判別することができる。
【００１１】
前記無線受信機は、受信したモールス信号からキーイングスピードを検出するキーイングスピード検出部をさらに備え、前記局判別部が、検出された周波数が前記既知局の送信周波数であると判定したときに、さらに、検出されたキーイングスピードが前記既知局によって送信されたモールス信号から検出されたキーイングスピードであるか否かを判定することにより、受信中のモールス信号を送信している送信局を判別してもよい。
【００１２】
上記の構成によれば、現在受信しているモールス信号から検出されたキーイングスピードに基づいて容易に送信局を判別することができる。
【００１３】
前記無線受信機は、新規の送信局と当該送信局のキーイングスピードとを対応付けて記憶部に登録する第２登録部をさらに備え、前記局判別部は、検出されたキーイングスピードが、登録された少なくとも１つの前記既知局にそれぞれ対応付けられたキーイングスピードと一致するか否かを判定することにより、受信中のモールス信号を送信している送信局を判別し、前記第２登録部は、検出されたキーイングスピードが少なくとも１つの前記既知局のキーイングスピードと一致しなかったときに、当該送信局を当該キーイングスピードと対応付けて前記記憶部に登録してもよい。
【００１４】
上記の構成によれば、検出されたキーイングスピードに基づいて少なくとも１つの送信局を判別することができる。
【００１５】
前記無線受信機は、受信したモールス信号を文字コードデータに変換する変換部と、変換された前記文字コードデータに基づいて、文字列を表示する文字列表示部とをさらに備え、前記報知部が、判別された送信局に応じて文字列の表示形態を異ならせていてもよい。
【００１６】
上記の構成によれば、文字列の表示形態が変わったことで、ユーザは送信局が変わったことを視覚的に認識することができる。
【００１７】
前記無線受信機において、前記表示形態は表示色であってもよい。
【００１８】
上記の構成によれば、文字列の表示色が変わったことで、より印象的に文字列の状態が変わったことを認識することができる。これにより、送信局が変わったことを、より容易に認識することができる。
【００１９】
前記無線受信機において、前記表示形態はフォントであってもよい。
【００２０】
上記の構成によれば、文字列の表示色が変わったことで、より印象的に文字列の状態が変わったことを認識することができる。これにより、送信局が変わったことを、より容易に認識することができる。
【００２１】
前記無線受信機において、前記表示形態は改行であってもよい。
【００２２】
上記の構成によれば、文字列が改行されることで、送信局が変わったことを認識することができる。
【００２３】
本発明の一態様に係る無線受信機をコンピュータによって実現してもよい。この場合には、コンピュータを上記無線受信機が備える前記周波数検出部、前記局判別部および前記報知部（ソフトウェア要素）として動作させることにより上記無線受信機をコンピュータにて実現させる送信局判別プログラムも、本発明の範疇に入る。
【発明の効果】
【００２４】
本発明の一態様によれば、受信したモールス信号から送信局を容易に判別することができる。
【図面の簡単な説明】
【００２５】
【図１】本発明の一実施形態に係るトランシーバにおける受信系統の構成を示すブロック図である。
【図２】上記トランシーバにおける局判別部による局判別の処理手順を示すフローチャートである。
【発明を実施するための形態】
【００２６】
〔実施形態〕
以下、本発明の一実施形態について、図１および図２を参照して説明すれば、以下の通りである。
【００２７】
〈トランシーバの構成〉
図１は、本実施形態に係るトランシーバ１における受信系統の構成を示すブロック図である。
【００２８】
図１に示すように、トランシーバ１（無線受信機）は、アンテナ２と、ＲＦアンプ３と、ミキサ４と、ＩＦフィルタ５と、デジタル信号処理回路６と、ＣＰＵ（Central Processing Unit）７と、文字列表示部８とを備えている。
【００２９】
ＲＦアンプ３は、アンテナ２に受信されるＲＦ信号を増幅する。ミキサ４は、ＲＦアンプ３からのＲＦ信号を中間周波数のＩＦ信号に変換する。ＩＦフィルタ５は、ＩＦ信号から妨害波を除去する。
【００３０】
デジタル信号処理回路６は、ＩＦフィルタ５を経たＩＦ信号（モールス信号）に対して、各種の処理を施す回路である。デジタル信号処理回路６は、このような処理を行なうために、ＤＳＰ（Digital Signal Processor）、ＦＰＧＡ（Field Programmable Gate Array）などで構成されている。デジタル信号処理回路６は、復調部６１と、ＣＷデコード部６２（キーイングスピード検出部，変換部）と、周波数カウント部６３（周波数検出部）と、局判別部６４（第１登録部，第２登録部）と、メモリ６５（記憶部）とを有している。
【００３１】
復調部６１は、入力されるモールス信号を所定の復調方式で音声信号に復調する。復調部６１は、受信信号の周波数に対して近接する周波数の信号発生器（ＢＦＯ：Beat Frequency Oscillator）の信号を混合し、ビートを発生させるなどの処理を行なうことにより、モールス符号を音声信号に変換する。この音声信号は、図示しないアンプによって増幅され、さらに図示しないスピーカによって音声として出力される。
【００３２】
ＣＷデコード部６２は、入力されるモールス信号を文字コードデータに変換する。より具体的には、ＣＷデコード部６２は、モールス符号の長点と短点とを区別するとともに、長点と短点との並びを解析し、その解析結果に基づいて辞書を参照することにより、該当する文字コードデータを出力する。
【００３３】
また、ＣＷデコード部６２は、入力されるモールス信号の通信速度であるキーイングスピードを検出する。ＣＷデコード部６２は、モールス信号におけるモールス符号の有無をそれぞれ“１”，“０”から成るパルス信号で表し、パルス信号におけるパルスが変化するタイミングを求めて、そのタイミングにパルスカウント検波を行なうことによりキーイングスピードを検出する。ＣＷデコード部６２は、検出したキーイングスピードのデジタル値を出力する。
【００３４】
周波数カウント部６３は、入力されるモールス信号の周波数をカウントすることにより、当該周波数のデジタル値を出力する。また、周波数カウント部６３は、トランシーバ１に受信設定されている受信周波数と、モールス信号の周波数との偏差（周波数偏差）を検出して、その周波数偏差をオートチューンの処理に用いられるオートチューンデータとして出力する。
【００３５】
局判別部６４は、ＣＷデコード部６２からのキーイングスピードの変化に基づいて、受信中の送信局を判別する。また、局判別部６４は、周波数カウント部６３からの周波数の変化に基づいて、受信中の送信局を判別する。局判別部６４は、キーイングスピードの変化に基づく判別結果、および周波数の変化に基づく判別結果を、それぞれ局判別信号として出力する。
【００３６】
メモリ６５は、既にモールス信号を受信した送信局（送信局に付与された後述する識別符号）を、ＣＷデコード部６２によって検出されたキーイングスピードと、周波数カウント部６３によって検出された周波数（送信局の周波数）と対応付けて記憶する。
【００３７】
ＣＰＵ７は、トランシーバ１の各部を制御する制御装置である。ＣＰＵ７は、トランシーバ１の受信系統として、文字列表示処理部７１（報知部）と、オートチューン処理部７２とを有している。文字列表示処理部７１およびオートチューン処理部７２は、それぞれ、ＣＰＵ７が所定のプログラムを実行することにより実現される機能ブロックである。
【００３８】
文字列表示処理部７１は、ＣＷデコード部６２からの文字コードデータに基づいて文字列の表示データ（文字列表示データ）を文字列表示部８に出力する。また、文字列表示処理部７１は、局判別部６４からの局判別信号に基づいて、判別された送信局に応じて文字列の表示形態を変更することにより、送信局の判別結果をユーザに報知する。変更する表示形態としては、例えば、表示色、フォント、改行が挙げられる。
【００３９】
なお、ＣＰＵ７は、文字コードデータをログとして保存するときに、保存するファイルの形式を送信局ごとに異ならせて保存する。ファイル形式としては、例えば、リッチテキスト形式、ＨＴＭＬ（Hyper Text Markup Language）形式が挙げられる。
【００４０】
オートチューン処理部７２は、周波数カウント部６３からのオートチューンデータに基づいて、送信局の周波数（送信周波数）を受信周波数と一致するように調整する。
【００４１】
文字列表示部８は、文字列表示処理部７１から出力される文字列表示データに基づいて文字列を表示する。
【００４２】
〈局判別動作〉
図２は、トランシーバ１における局判別部６４による局判別の処理手順を示すフローチャートである。
【００４３】
まず、局判別部６４は、ＣＷデコード部６２から送出されていない文字コードデータが存在するか否かを判定する（ステップＳ１）。ＣＷデコード部６２からキーイングスピードが出力されている間は、文字コードデータを送出すべきモールス信号が存在している。そこで、局判別部６４は、キーイングスピードが存在することで、文字コードデータが存在すると判定できる。
【００４４】
局判別部６４は、ステップＳ１において、未送出の文字コードデータが存在すると判定すると（ＹＥＳ）、メモリ６５に記憶されている登録済みの送信局の周波数（送信周波数）と現在受信している送信局の周波数とが一致するか否かを判定する（ステップＳ２）。
【００４５】
既にトランシーバ１に受信された送信局は、送信周波数とともに後述するようにメモリ６５に既知局として登録される。このため、局判別部６４は、少なくとも１つの送信局が登録されていれば、登録されている全ての送信局についての送信周波数と、現在受信している送信局の周波数と一致するか否かを判定する。
【００４６】
局判別部６４は、ステップＳ２において、登録済みの送信局の周波数と現在受信している送信局の周波数とが一致すると判定すると（ＹＥＳ）、一致を判定した送信局について、メモリ６５に記憶されている登録済みのキーイングスピードと、ＣＷデコード部６２によって検出された現在のキーイングスピードとが一致するか否かを判定する（ステップＳ３）。
【００４７】
キーイングスピードについても、送信周波数と同じく、送信局とともに登録される。したがって、局判別部６４は、少なくとも１つの送信局が登録されていれば、登録されている全ての送信局についてのキーイングスピードと、検出されたキーイングスピードと一致するか否かを判定する。
【００４８】
局判別部６４は、ステップＳ３において、登録済みのキーイングスピードと現在のキーイングスピードとが一致すると判定すると（ＹＥＳ）、周波数およびキーイングスピードのそれぞれの一致を判定した送信局に局判別信号を設定して（ステップＳ４）、処理をステップＳ１に戻す。
【００４９】
メモリ６５に登録されている送信局は、登録順に識別符号が付与されている。このため、局判別部６４は、識別符号に局判別信号の情報を対応付けることで設定情報を作成し、その設定情報をメモリ６５に記憶させることにより、設定情報を登録する。
【００５０】
設定情報が登録されることで、ステップＳ１以降の処理が再び繰り返される場合、局判別部６４は、ステップＳ１の次に、設定情報の局判別信号を認識できたか否かを判定する処理を行なってもよい。そして、局判別部６４は、設定情報の局判別信号を認識できたときには、送信局が既に判別されていると判断して、ステップＳ２〜Ｓ４の処理を省略してもよい。
【００５１】
局判別信号は、固有のコードによって構成される信号であるが、局判別信号の形態はこのような信号に限定されない。また、局判別信号は、予め規定数用意されており、後述する表示色やフォントと個々に対応付けられていてもよい。
【００５２】
局判別部６４は、ステップＳ２において、登録済みの送信局の周波数と現在受信している送信局の周波数とが一致しないと判定すると（ＮＯ）、新規の送信局の登録情報を作成する（ステップＳ５）。また、局判別部６４は、ステップＳ３において、登録済みのキーイングスピードと、ＣＷデコード部６２によって検出された現在のキーイングスピードとが一致しないと判定したときも（ＮＯ）、新規の送信局の登録情報を作成する（ステップＳ５）。
【００５３】
送信局の送信周波数とキーイングスピードは、一連の交信が終わるたびに変わることがある。このため、送信局の登録情報は、一時的に記憶されていればよい。例えば、メモリ６５に登録できる送信局の登録数を予め規定しておき、規定の登録数を超えると古い登録情報から順に抹消する。あるいは、トランシーバ１の電源をＯＦＦにしたときなどに一部または全ての登録情報を抹消してもよい。
【００５４】
局判別部６４は、登録情報の主となるデータとして新規の送信局に上記の識別符号を新たに付与し、当該識別符号に、周波数カウント部６３から取得した送信局の周波数と、ＣＷデコード部６２から取得したキーイングスピードとを対応付けて、登録情報を作成する。登録情報において、識別符号が新規の送信局を表している。
【００５５】
そして、局判別部６４は、上記のように登録情報を作成した新規の送信局に局判別信号を設定して設定情報を作成し（ステップＳ６）、処理をステップＳ１に戻す。
【００５６】
なお、上述の処理手順では、ステップＳ２，Ｓ３の処理を経て、送信局を判別しているが、登録された周波数と現在の周波数との比較によるステップＳ２の処理のみで送信局を判別してもよい。この場合、登録されたキーイングスピードと現在のキーイングスピードとの比較によるステップＳ３が省かれる。このため、局判別部６４は、ステップＳ４，Ｓ６において、送信局への局判別信号の設定を周波数の一致に基づいてのみ行い、ステップＳ５において、周波数カウント部６３から取得した送信局の周波数周波数のみを識別符号に対応付けて登録情報を作成する。
【００５７】
〈文字列表示動作〉
文字列表示処理部７１は、局判別部６４からの局判別信号に基づいて、ＣＷデコード部６２から取得した文字コードデータを文字列表示データに変換する。また、文字列表示処理部７１は、文字列表示データに表示形態を特定する表示形態情報を付与して、文字列表示部８に出力する。表示形態情報としては、例えば、表示色、フォント、改行が挙げられる。
【００５８】
文字列表示処理部７１は、表示色を表示形態情報として文字列表示データに付与する場合、予め規定数用意されている局判別信号と複数の異なる表示色とを個々に対応付けたテーブルを参照し、入力された局判別信号に対応する表示色を特定する。
【００５９】
文字列表示処理部７１は、フォントを表示形態情報として文字列表示データに付与する場合、予め規定数用意されている局判別信号と複数の異なるフォントとを個々に対応付けたテーブルを参照し、入力された局判別信号に対応するフォントを特定する。
【００６０】
文字列表示処理部７１は、改行を表示形態情報として文字列表示データに付与する場合、入力される局判別信号が他の局判別信号に変わったタイミングで改行コードを文字列表示データに付与する。
【００６１】
文字列表示部８は、上記のようにして表示形態情報が付与された文字列表示データに基づいて文字列を表示する。
【００６２】
送信局に応じて文字列の表示色を変更する場合、送信局が変わると、局判別信号も変わるため、当該局判別信号に応じた表示色の文字列表示データが文字列表示部８に出力される。これにより、文字列表示部８は、送信局が変わるごとに表示色を変えて文字列を表示する。
【００６３】
送信局に応じて文字列のフォントを変更する場合、送信局が変わると、局判別信号に応じたフォントの文字列表示データが文字列表示部８に出力される。これにより、文字列表示部８は、送信局が変わるごとにフォントを変えて文字列を表示する。
【００６４】
送信局に応じて文字列を改行する場合、送信局が変わると、局判別信号が変わったタイミングで改行コードを挿入された文字列表示データが文字列表示部８に出力される。これにより、文字列表示部８は、送信局が変わるごとに文字列を改行する。
【００６５】
〈トランシーバによる効果〉
本実施形態に係るトランシーバ１は、受信したモールス信号の周波数を検出する周波数カウント部６３と、検出された周波数がトランシーバ１に受信されたモールス信号を送信した既知の送信局である既知局の送信周波数と一致するか否かを判定することにより、受信中のモールス信号を送信している送信局を判別する局判別部６４と、送信局を判別した結果を報知する文字列表示処理部７１とを備えている。
【００６６】
上記の構成によれば、現在受信しているモールス信号から検出された周波数に基づいて容易に送信局を判別することができる。これにより、適切な対応をとることができる。
【００６７】
アマチュア無線の運用では、自らＣＱを発して交信を始める以外は、既に行なわれている２局の交信を受信し、その交信が終わってから一方の局を呼びかける形態が一般的である。このような状況において、交信中の２局を判別できれば、交信が終わったことを容易に認識することができるので、呼びかけをスムーズ行なうことが可能となる。また、送信を行なわずに、他局同士の交信を聞いている場合でも、２局を判別できれば、交信内容を容易に理解することができる。
【００６８】
局判別部６４は、周波数カウント部６３によって検出された周波数が、登録された少なくとも１つの既知局にそれぞれ対応付けられた送信周波数と一致するか否かを判定することにより、受信中のモールス信号を送信している送信局を判別する。また、局判別部６４は、検出された周波数が既知局の送信周波数と一致しなかったときに、当該送信局を当該送信周波数と対応付けてメモリ６５に登録する。
【００６９】
上記の構成によれば、検出された周波数に基づいて少なくとも１つの送信局をそれぞれ判別することができる。
【００７０】
ＣＷデコード部６２は、受信したモールス信号からキーイングスピードを検出する。また、局判別部６４は、検出された周波数が既知局の送信周波数であると判定したときに、さらに、検出されたキーイングスピードが既知局によって送信されたモールス信号から検出されたキーイングスピードであるか否かを判定することにより、受信中のモールス信号を送信している送信局を判別する。
【００７１】
上記の構成によれば、現在受信しているモールス信号から検出されたキーイングスピードに基づいて容易に送信局を判別することができる。
【００７２】
局判別部６４は、ＣＷデコード部６２によって検出されたキーイングスピードが、登録された少なくとも１つの既知局にそれぞれ対応付けられたキーイングスピードと一致するか否かを判定することにより、受信中のモールス信号を送信している送信局を判別する。また、局判別部６４は、検出されたキーイングスピードが既知局のキーイングスピードと一致しなかったときに、当該送信局を当該キーイングスピードと対応付けてメモリ６５に登録する。
【００７３】
上記の構成によれば、検出されたキーイングスピードに基づいて少なくとも１つの送信局をそれぞれ判別することができる。
【００７４】
トランシーバ１は、受信したモールス信号を文字コードデータに変換するＣＷデコード部６２と、変換された文字コードデータに基づいて文字列を表示する文字列表示部８とを備えている。また、文字列表示処理部７１は、判別された送信局に応じて文字列の表示形態を異ならせる。
【００７５】
上記の構成によれば、文字列の表示形態が変わったことで、ユーザは送信局が変わったことを視覚的に認識することができる。
【００７６】
表示形態は、表示色であってもよい。これにより、文字列の表示色が変わったことで、より印象的に文字列の状態が変わったことを認識することができる。したがって、送信局が変わったことを、より容易に認識することができる。
【００７７】
また、表示形態は、フォントであってもよい。これにより、文字列の表示色が変わったことで、より印象的に文字列の状態が変わったことを認識することができる。したがって、送信局が変わったことを、より容易に認識することができる。
【００７８】
また、表示形態は改行であってもよい。文字列が改行されることで、従来のモールス信号のデコード機能を備えた無線受信機が文字を単に羅列して表示していたのと比べて、送信局が変わったことを認識することができる。また、文字列を表示するための文字コードデータに改行コードを挿入するだけで、改行を実現できる。これにより、表示データ量を抑制することができるだけでなく、表示色やフォントのデータを保持しておく必要がなく、記憶データ量の増加を抑えることができる。
【００７９】
〔ソフトウェアによる実現例〕
トランシーバ１の制御ブロック（特にＣＷデコード部６２、周波数カウント部６３、局判別部６４および文字列表示処理部７１）は、集積回路（ＩＣチップ）等に形成された論理回路（ハードウェア）によって実現してもよいし、ソフトウェアによって実現してもよい。
【００８０】
後者の場合、トランシーバ１は、各機能を実現するソフトウェアであるプログラム（送信局判別プログラムを含む）の命令を実行するコンピュータを備えている。このコンピュータは、例えば１つ以上のプロセッサ（デジタル信号処理回路６を構成するプロセッサおよびＣＰＵ７）を備えているとともに、上記プログラムを記憶したコンピュータで読み取り可能な記録媒体を備えている。
【００８１】
そして、上記コンピュータにおいて、上記プロセッサが上記プログラムを上記記録媒体から読み取って実行することにより、本発明の目的が達成される。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。
【００８２】
上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８３】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８４】
１  トランシーバ（無線受信機）
８  文字列表示部
６２  ＣＷデコード部（キーイングスピード検出部，変換部）
６３  周波数カウント部（周波数検出部）
６４  局判別部（第１登録部，第２登録部）
６５  メモリ（記憶部）
７１  文字列表示処理部（報知部）
【図１】
2020167599.tif 000003
【図２】
2020167599.tif 000004